(57)【要約】【課題】所望の温度の浄水が使用できる浄水器付湯水混合栓および浄水器専用混合栓を提供する。【解決手段】吐水管を有する本体と、前記本体内に水を引き込む給水路および湯を引き込む給湯路と、本体に内蔵され給水路および給湯路から供給される湯水を混合し所望の温度および流量に調整する湯水混合弁と、前記湯水混合弁で混合された混合水を前記本体外に吐水する吐水ヘッドと、前記吐水管内を通って下流側を前記吐水ヘッドに接続し上流側を湯水混合弁に接続した混合水路と、途中に浄水器を設け下流側を前記混合水路の途中に接続した浄水路と、前記給水路の途中から分岐した給水分岐路と、前記給湯路の途中から分岐した給湯分岐路と、前記給水分岐路および前記給湯分岐路の下流側に接続し前記給水分岐路および前記給湯分岐路から供給される湯水を混合し所望の温度に調整し前記浄水路へ排出する切替弁とを備えたことを特徴とする浄水器付湯水混合栓。【選択図】  図１
2004300860.tif 000002
【特許請求の範囲】
【請求項１】
吐水管を有する本体と、前記本体内に水を引き込む給水路および湯を引き込む給湯路と、本体に内蔵され給水路および給湯路から供給される湯水を混合し所望の温度および流量に調整する湯水混合弁と、前記湯水混合弁で混合された混合水を前記本体外に吐水する吐水ヘッドと、前記吐水管内を通って下流側を前記吐水ヘッドに接続し上流側を湯水混合弁に接続した混合水路と、流入した流体を浄化する浄水器とを備えた浄水器付湯水混合水栓において、
途中に前記浄水器を設け、下流側を前記混合水路に接続する浄水路と、前記給水路の途中から分岐した給水分岐路と、前記給湯路の途中から分岐した給湯分岐路と、前記給水分岐路および前記給湯分岐路の下流側に接続し、供給される湯水を混合し所望の温度に調整し前記浄水路を経て浄水器へ導く切替弁とを備えたことを特徴とする浄水器付湯水混合水栓。
【請求項２】
前記混合水路の前記浄水路との接続部より下流の一部を前記本体外部に引き回された吐水ホースで構成し、前記吐水ヘッドを前記吐水管に前記吐水ホースとともに引き出し自在に支持したことを特徴とする請求項１に記載の浄水器付湯水混合栓。
【請求項３】
前記切替弁を前記本体に内蔵し、前記切替弁を操作する切替ハンドルを前記本体側面に配置したを特徴とする請求項１または請求項２に記載の浄水器付湯水混合栓。
【請求項４】
給水管と給湯管とを備えた水栓とは別に設けた、吐水管を有する本体と、前記水栓の給水管より分岐し、本体内に水を引き込む給水路と、前記水栓の給湯管より分岐し、湯を引き込む給湯路と、途中に浄水器を接続した浄水路と、前記給水路および前記給湯路から供給する湯水を混合し所望の温度に調整し前記浄水路に排出する切替弁とを備え、前記浄水路の下流側を吐水管としたことを特徴とする浄水器専用湯水混合水栓。
【請求項５】
前記切替弁を前記本体に内蔵し、前記切替弁を操作する切替ハンドルを前記本体側面に配置したことを特徴とする請求項４に記載の浄水器専用湯水混合水栓
【発明の詳細な説明】
【０００１】
【発明の属する技術分野】
本発明は浄水器などを接続して原水と浄水両方を使用できる浄水器付水栓及び浄水器にて浄化した水を吐出する浄水器専用水栓
【０００２】
【従来の技術】
浄水器などを接続して原水と浄水両方を使用できる浄水器付湯水混合栓として、給水された水を浄水器に通して吐水することにより、浄水が使用できるようにしたものが知られている。ここで、浄水器の設置形態としては、浄水器をカウンター下の収納する場合と、水栓に組み込む場合がある。
カウンター下に浄水器を設置するときには、水栓で水とお湯とにより所望の水温とし、この温水を吐水する配管途中を分岐し、その分岐部に切替弁とその下流に浄水器を設け、さらに浄水した温水を前記配管に戻したものが知られており、切替弁を浄水器への通路側に切り替えることにより浄化された温水が吐水し、また切替え弁を操作しない場合は原水が吐水するものが知られている。（特許文献１、特許文献２参照）。
さらに、水栓に浄水器を組み込む場合は水栓の吐水管に浄水器を組み込んでいる。このものは、水と湯から水栓にて所望の温度の温水を得て、さらにこの温水を浄水器に通すことにより浄化された温水を得るものである。さらに、吐水管は水栓本体から引出自在となっている（特許文献３参照）。
【０００３】
【特許文献１】
実開平５−６９４６８
【特許文献２】
実開平５−７１５５２
【特許文献３】
特開２００１−１７３４２
【０００４】
【発明が解決しようとする課題】
この特許文献１及び特許文献２においては、浄水器を経由した浄水と浄水器を経由しない原水の湯温の設定は湯水混合水栓の操作弁に設けた操作ハンドルで行う。つまり、原水と浄水器を経由した湯の温度は同じということになる。
この場合、原水にて食器を洗い、さらに浄水器を経由した湯でコーヒーを飲む場合を想定すると、コーヒーを飲むに当たっては湯温が高いほうが早く熱湯を得られるので高温の湯のほうがよいが、一方食器を洗うときに湯温が高すぎると火傷をする恐れがある。
つまり、温度調節するハンドルが一つしかないため、原水で利用する場合と浄水で利用する場合の希望する湯温が異なる場合、吐水先を切り替えるに当たり湯温をそれぞれ設定し直す必要があり、使い勝手が悪い。
さらに、浄水器に組み込まれた中空糸膜は高温の湯を通すと溶ける場合があり、一般に浄水器に流入するお湯の温度は６０度以下にする必要がある。そのため、８０度の湯を中空糸膜を通すと、寿命が早まる。
【０００５】
また、特許文献３においては、水栓のホルダ部に挿通して引出・収納自在に設けたホースに浄水器を組み込んだため、手で持つ部分の外径が大きく、台所のシンクを洗浄する場合に使用する場合に操作性が悪い。
【０００６】
本発明は、上記課題を解決するためになされたもので、本発明の目的は、使い勝手がよくしかも操作性が良い、さらに中空糸膜の寿命を延ばすことができる浄水器付湯水混合栓を提供することにある。
【０００７】
【課題を解決するための手段・作用および効果】
上記目的を達成するために、請求項１では、吐水管を有する本体と、前記本体内に水を引き込む給水路および湯を引き込む給湯路と、本体に内蔵され給水路および給湯路から供給される湯水を混合し所望の温度および流量に調整する湯水混合弁と、前記湯水混合弁で混合された混合水を前記本体外に吐水する吐水ヘッドと、前記吐水管内を通って下流側を前記吐水ヘッドに接続し上流側を湯水混合弁に接続した混合水路と、流入した流体を浄化する浄水器とを備えた浄水器付湯水混合水栓において、
途中に前記浄水器を設け、下流側を前記混合水路に接続する浄水路と、前記給水路の途中から分岐した給水分岐路と、前記給湯路の途中から分岐した給湯分岐路と、前記給水分岐路および前記給湯分岐路の下流側に接続し、供給される湯水を混合し所望の温度に調整し前記浄水路を経て浄水器へ導く切替弁とを備えたことを特徴とする
【０００８】
上記発明によれば、切替弁で給水分岐路および給湯分岐路から流入した湯水を混合し所望の温度に調整することにより、所望の温度の浄水が使用できる。原水を利用する場合と浄水を利用する場合で異なる湯温を設定することができるので、大変使い勝手が良い。さらに、浄水器を通過する湯温の確認をすることにより、中空糸膜を痛めない湯温を容易に設定することができ、浄水器の長寿命化を図ることができる。
【０００９】
請求項２では、請求項１に記載の浄水器付湯水混合栓において、前記混合水路の前記浄水路との接続部より下流の一部を前記本体外部に引き回された吐水ホースで構成し、前記吐水ヘッドを前記吐水管に前記吐水ホースとともに引き出し自在に支持した。
【００１０】
上記発明によれば、吐水ヘッドを引出し自在にしたことにより、手で引き出して使用する吐水管の径を小さくすることができ、洗い物時やシンクの清掃時に吐水管が握りやすいので、使い勝手がよくなる。
【００１１】
請求項３では、請求項１または請求項２に記載の浄水器付湯水混合栓において、前記切替弁を前記本体に内蔵し、前記切替弁を操作する切替ハンドルを前記本体側面に配置した。
【００１２】
上記発明によれば、切替弁を本体に内蔵し、切替ハンドルを本体側面に配置したことにより、切替弁や切替ハンドルの別途設置作業が必要なく、また切替ハンドルをカウンターの上などに別途設ける必要がなく周辺が煩雑となってしまうこともない。
【００１３】
請求項４では、給水管と給湯管とを備えた水栓とは別に設けた、吐水管を有する本体と、前記水栓の給水管より分岐し、本体内に水を引き込む給水路と、前記水栓の給湯管より分岐し、湯を引き込む給湯路と、途中に浄水器を接続した浄水路と、前記給水路および前記給湯路から供給する湯水を混合し所望の温度に調整し前記浄水路に排出する切替弁とを備え、前記浄水路の下流側を吐水管としたことを特徴とする浄水器専用湯水混合水栓。
【００１４】
上記発明によれば、切替弁で給水分岐路および給湯分岐路から流入した湯水を混合し所望の温度に調整することにより、既設の湯水混合栓を取替えずに、所望の温度の浄水が使用できる。
【００１５】
請求項５では、請求項４に記載の浄水器専用混合栓において、前記切替弁を前記本体に内蔵し、前記切替弁を操作する切替ハンドルを前記本体側面に配置した。
【００１６】
上記発明によれば、切替弁を本体に内蔵し、切替ハンドルを本体側面に配置したことにより、切替弁や切替ハンドルの別途設置作業が必要なく、また切替ハンドルをカウンターの上などに別途設ける必要がなく周辺が煩雑となってしまうこともない。
【００１７】
ここで、「浄水器」とは、水道水などに含まれる赤さびなどの濁り、残留塩素、雑菌、溶解鉛などの除去を行う装置等をいい、磁気式、紫外線式の浄水器やアルカリイオン水を生成する電解槽を組合せたものなどを示す。「湯水混合弁」とは、シングルレバー式、２ハンドル式、サーモスタット式などを含む。
【００１８】
【発明の実施の形態】
以下、本発明の実施形態に係る浄水器付湯水混合栓および浄水器専用混合栓について図１〜図６を用いて説明する。
図１は第一実施形態を示す浄水器付湯水混合栓であり、次のような構成となる。
浄水器付湯水混合栓１の水栓本体４は、流し台などのカウンター９０上に図示しないナットや馬蹄型固定具などによりカウンター９０下方より締付けて固定されている。
【００１９】
水栓本体４には吐水管５が突設されており、この吐水管５の先端に吐水ヘッド２０が吐水管５に対し引出自在に挿通されている。水栓本体４には湯水混合弁１１が内蔵されており、カウンター９０下方に設置される給水源２（例えば給水側止水栓）および給湯源３（例えば給湯側止水栓）からそれぞれ延びる給水路１２および給湯路１３がそれぞれ接続されている。また、水栓本体４上部には湯水混合ハンドル１０が取り付けられており、この湯水混合ハンドル１０の傾動操作により閉止状態から湯水混合弁１１を開成し、回動操作により湯水混合弁１１を駆動させ、給水源２から給水路１２を介して供給される水および給湯源３から給湯路１３を介して供給される湯を混合して所望の水量および温度に調節し、混合した混合水を混合水路１４に排出する。
【００２０】
また、混合水路１４の下流側は吐水ホース２２、吐水ヘッド２０の順に接続されている。そして、吐水ホース２２は可撓性のあるホースで構成されており、水栓吐水ヘッド２０を吐水管５から引き出すのに十分な長さを有して本体４下方に配置されている。
【００２１】
カウンター９０下方には、水道水に含まれる赤さびや残留塩素等の不純物を濾過して除去する浄水器３０が設置されている。この浄水器３０は、活性炭や中空糸膜などのろ材を収納した交換可能なカートリッジを内蔵した浄水器、またはカートリッジそのものである。そして、浄水器３０には混合水を流入するための浄水路３１と混合水を濾過して排出するための浄水路３２が接続されている。また、浄水路３１の上流側は切替弁４１に接続され、浄水路３２の下流側は吐水路２１と吐水ホース２２の間に設けられた水栓本体４外にある合流継手５０に接続されている。
【００２２】
切替弁４１は水栓本体４の右方に内蔵されたシリンダーバルブであり、水栓本体４の右側面に配置された切替ハンドル４０により操作される。また、切替弁４１には給水路１２の途中から分岐した給水分岐路１５と給湯路１３の途中から分岐した給湯分岐路１６が接続されている。そして、切替弁４１は切替ハンドル４０の回動操作により、給水分岐路１５と給湯分岐路１６から流入した湯水を混合して所望の水量および温度に調節し、混合した混合水を浄水路３２に排出する。
【００２３】
上記した構成により、切替弁４１を閉止した状態で湯水混合ハンドル１０を操作することにより、湯水混合弁１１から混合水路１４に排出された混合水は合流継手５０、吐水ホース２２、吐水ヘッド２０を経て原水のまま使用者へ吐水される。一方、湯水混合弁１１を閉止した状態で切替ハンドル４０を操作することにより、切替弁４１から浄水路３１に排出された混合水は浄水器３０、浄水路３２、合流継手５０、吐水ホース２２、吐水ヘッド２０を経て浄水として使用者へ吐水される。
【００２４】
図２は第二実施形態を示す浄水器付湯水混合栓であり、次のような構成となる。
図１と異なる点は、浄水器３０はカウンター９０上方に水栓本体４と一体的に配置されていることである。よって、図１と同じ構成には図１と同一の符号を付している。
【００２５】
上記した構成により、図１と同様に、切替弁４１を閉止した状態で湯水混合ハンドル１０を操作することにより、湯水混合弁１１から混合水路１４に排出された混合水は合流継手５０、吐水ホース２２、吐水ヘッド２０を経て原水のまま使用者へ吐水される。一方、湯水混合弁１１を閉止した状態で切替ハンドル４０を操作することにより、切替弁４１から浄水路３１に排出された混合水は浄水器３０、浄水路３２、合流継手５０、吐水ホース２２、吐水ヘッド２０を経て浄水として使用者へ吐水される。
【００２６】
なお、上記した第一実施形態および第二実施形態において、給水分岐路１５の給水路１２からの分岐点と給湯分岐路１６の給湯路１３からの分岐点を水栓本体４外に設ければ、水栓本体４内の構造を簡略化できる。
また、合流継手５０を削除し、浄水路３２の下流側を水栓本体４内で混合水路１４の途中に接続すれば、設置時の浄水路３２の下流側の接続作業を省略できる。
【００２７】
また、原水と浄水を同一箇所から吐水するようにしたが、浄水路３２の下流側を吐水管５の途中から下方に突出させて開放させたり、浄水路３２の下流側を水栓本体４の側方を突出させた部分から上方に突出させてさらに先端を下方へ湾曲させて開放させたり、第二実施形態の場合には浄水路３２の下流側を浄水器３０の上部から上方に突出させてさらに先端を下方へ湾曲させて開放させたりして、浄水を原水とは別に吐水するようにしてもよく、このような構成にすれば原水と浄水を同時に使用できる。
【００２８】
また、吐水ヘッド２０は引き出し自在としたが、吐水ホース２２を削除し混合水路１４を直接吐水ヘッド２０に接続し、吐水ヘッド２０を吐水管５に常時固定するように構成してもよい。
【００２９】
図３は第三実施形態を示すものであり、次のような構成となる。
浄水器専用混合栓１０１の本体１０４と湯水混合栓１０２の湯水混合栓本体１０３とは、別個に流し台などのカウンター９０上に図示しないナットや馬蹄型固定具などによりカウンター９０下方より締付けて固定されている。図１と異なる点は、浄水専用混合栓をカウンター９０上方に配置されていることである。そして、図１と同じ構成には図１と同一の符号を付している。
【００３０】
湯水混合栓本体１０３には吐水管５が突設されており、この吐水管５の先端に吐水ヘッド２０が着脱自在に保持されている。湯水混合栓本体１０３には湯水混合弁１１が内蔵されており、カウンター９０下方に設置される給水源２（例えば給水側止水栓）および給湯源３（例えば給湯側止水栓）からそれぞれ延びる給水路１２および給湯路１３がそれぞれ接続されている。また、湯水混合栓本体１０３上部には、湯水混合ハンドル１０が取り付けられており、この湯水混合ハンドル１０の傾動操作により閉止状態から湯水混合弁１１を開成し、回動操作により湯水混合弁１１を駆動させ、給水源２から給水路１２を介して供給される水および給湯源３から給湯路１３を介して供給される湯を混合して所望の水量および温度に調節し、混合した混合水を混合水路１４に排出する。
【００３１】
また、混合水路１４の下流側は吐水ホース２２、吐水ヘッド２０の順に接続されている。そして、吐水ホース２２は、可撓性のあるホースで構成されており、湯水混合栓本体１０３下方に吐水ヘッド２０を吐水管５から引き出すのに十分な長さを有して配置されている。
【００３２】
カウンター９０下方には、水道水に含まれる赤さびや残留塩素等の不純物を濾過して除去する浄水器３０が設置されている。この浄水器３０は、活性炭や中空糸膜などのろ材を収納した交換可能なカートリッジを内蔵した浄水器、またはカートリッジそのものである。そして、浄水器３０には混合水を流入するための浄水路３１と混合水を濾過して排出するための浄水路３２が接続されている。また、浄水路３１の上流側は切替弁４１に接続され、浄水路３２の下流側は浄水器用水栓１０４内を経て該専用水栓１０４上部より突出させてさらに先端を下方へ湾曲させて開放されている。
【００３３】
切替弁４１は前記専用水栓本体１０４の右下方に内蔵されており、専用水栓本体１０４の右側面に配置された切替ハンドル４０により操作される。また、切替弁４１には給水路１２の途中から分岐した給水分岐路１５と給湯路１３の途中から分岐した給湯分岐路１６が接続されている。そして、切替弁４１は切替ハンドル４０の回動操作により、閉止状態から、給水分岐路１５と給湯分岐路１６から流入した湯水を混合して所望の水量および温度に調節し、混合した混合水を浄水路３２に排出する。
【００３４】
上記した構成により、湯水混合ハンドル１０を操作することにより、湯水混合弁１１から混合水路１４に排出された混合水は吐水ホース２２、吐水ヘッド２０を経て原水のまま使用者へ吐水される。一方、切替ハンドル４０を操作することにより、切替弁４１から浄水路３１に排出された混合水は浄水器３０、浄水路３２を経て浄水として使用者へ吐水される。
【００３５】
図４は第四実施形態を示す浄水器専用混合栓であり、次のような構成となる。
図１と異なる点は、浄水器３０専用の水栓を設け、浄水器３０は本体１０４と一体的に配置されていることである。そして、図１と同じ構成には図１と同一の符号を付している。
【００３６】
上記した構成により、湯水混合ハンドル１０を操作することにより、湯水混合弁１１から混合水路１４に排出された混合水は吐水ホース２２、吐水ヘッド２０を経て原水のまま使用者へ吐水される。一方、切替ハンドル４０を操作することにより、切替弁４１から浄水路３１に排出された混合水は浄水器３０、浄水路３２を経て浄水として使用者へ吐水される。
【００３７】
なお、上記した第三実施形態および第四実施形態において、浄水路３２は本体１０４の上方から突出するようにしたが、本体１０４の側方や前方や後方を突出させた部分から上方に突出させてもよい。
【００３８】
また、湯水混合栓１０２の形態は、本発明の浄水器専用混合栓とは無関係であり、単水栓などでもよく、限定されるものではない。
【００３９】
また、給水分岐路１５、給湯分岐路１６をそれぞれ給水路１２、給湯路１３から分岐させたが、給水源２、給湯源３から分岐させてもよいし、
給水源、給湯源を別途設けて直接給水分岐路１５、給湯分岐路１６を接続してもよい。
【００４０】
次に、切替弁４１の切替機構について図５、図６を用いて詳細に説明する。
図５に示すように、切替弁４１は、円筒形状の弁ケース４８内を回転する弁棒４４に固定された円筒形状の弁４６が、ナット４３により固定されている。弁ケース４８には水栓本体４（または本体１０４）に形成された給水分岐路１５に連通する側に弁パッキン４５Ａと、給湯分岐路１６に連通する側に弁パッキン４５Ｂとが装着されている。弁棒４４には切替ハンドル４０がネジ４２により固定されている。弁４６は、回転軸方向の浄水路３１に連通する側に開口４７Ｃ、および図６に示すように円筒面上に開口４７Ａ、４７Ｂを有する。
【００４１】
上記した構成により、まず、図６（Ａ）の状態では、給水分岐路１５、給湯分岐路１６ともに浄水路３１と連通していないため、浄水は吐水されない。図６（Ａ）の状態から切替ハンドル４０を約４５°回動させると、図６（Ｂ）のように開口４７Ａによって給水分岐路１５と浄水路３１が連通することにより、給水分岐路１５から開口４７Ａを経て弁４６内に流入した水は開口４７Ｃを経て浄水路３１に排出されるため、給水温度の浄水が使用できる。
【００４２】
つぎに、図６（Ｂ）の状態から切替ハンドル４０を約４５°回動させると、図６（Ｃ）のように開口４７Ａ、４７Ｂによって給水分岐路１５、給湯分岐路１６双方と浄水路３１が連通することにより、給水分岐路１５から開口４７Ａを経て弁４６内に流入した水と、給湯分岐路１６から開口４７Ｂを経て弁４６内に流入した湯が混合され、開口４７Ｃを経て浄水路３１に排出されるため、温度調整された浄水が使用できる。このとき、切替ハンドル４０を適当に回動を加減することにより所望の温度に調整できる。
【００４３】
さらに、図６（Ｃ）の状態から切替ハンドル４０を約４５°回動させると、図６（Ｄ）のように、開口４７Ｂによって給湯分岐路１６と浄水路３１が連通することにより、給湯分岐路１６から開口４７Ｂを経て弁４６内に流入した水は開口４７Ｃを経て浄水路３１に排出されるため、給湯温度の浄水が使用できる。
【００４４】
そして、浄水を止水させるときには、切替ハンドル４０を逆に回動させて図６（Ｄ）の状態から図６（Ｃ）、図６（Ｂ）を経て図６（Ａ）の状態へと戻せばよい。
【００４５】
このようにして、切替ハンドル４０により切替弁４１を駆動させることにより、給水温度の浄水、温度調整された浄水、給湯温度の浄水の使用が可能となる。また、浄水を吐水させるときは水から、止水するときも水からとすることで、いきなり湯が出てやけどするといったことを防止できる。
【００４６】
なお、以上の説明において示した数値や配置位置や形状などは一例であって、限定されるものではない。
【００４７】
また、湯水混合弁１１や切替弁４１は、上記構成に限ったものではなく、また、機械的に駆動されるもののみならず、電気的に駆動される電磁弁などを用いてもよく、その場合、湯水混合ハンドル１０や切替ハンドル４０はスイッチなどの操作手段を用いてもよい。
【００４８】
また、切替弁は弁体が円筒形状のシリンダー式のものを紹介したが、スプール式やボール式などさまざまな方式が考えられる。
また、上記した実施形態では、カウンター上に本体を配置した台付きタイプの場合を示したが、本体を給水路、給湯路を介して壁に配置した壁付きタイプにも応用が可能である。
また、流し台のみならず、洗面台や浴室に設置される場合にも適用することが可能である。
【００４９】
また、第一実施形態、第二実施形態において、浄水路３２の途中や合流継手５０の浄水路３２との接続部に逆止弁を設けておけば、混合水路からの原水の浄水器３０への逆流を防止できる。
【００５０】
また、浄水路３１、３２の途中や合流継手５０の浄水路３２との接続部に定流量弁を設けておけば、吐水量過多による浄水能力の低下や寿命の短縮を防止できる。
【００５１】
【発明の効果】
以上のように、本発明によると以下の効果を奏することができる。
浄水器付湯水混合栓において、切替弁で給水分岐路および給湯分岐路から流入した湯水を混合し所望の温度に調整することにより、原水を利用する場合と浄水を利用する場合で異なる湯温を設定することができるので、大変使い勝手が良い。さらに、浄水器を通過する湯温を調べることにより、中空糸膜を痛めない湯温を容易に設定することができ、浄水器の長寿命化を図ることができる。
また、給湯分岐路を本体内部で形成しておけば、吐水ヘッドを引出し自在にしたことにより、手で引き出して使用する吐水管の径を小さくすることができ、洗い物時やシンクの清掃時に吐水管が握りやすいので、使い勝手がよくなる
さらに、吐水ヘッドを引出し自在にしたことにより、洗い物時やシンクの清掃時に使い勝手がよくなる。
また、切替弁を本体に内蔵し、切替ハンドルを本体側面に配置したことにより、切替弁や切替ハンドルの別途設置作業が必要なく、また切替ハンドルをカウンターの上などに別途設ける必要がなく周辺が煩雑となってしまうこともない。
また、浄水器専用混合栓において、切替弁で給水分岐路および給湯分岐路から流入した湯水を混合し所望の温度に調整することにより、既設の湯水混合栓を取替えずに、所望の温度の浄水が使用できる。
さらに、切替弁を本体に内蔵し、切替ハンドルを本体側面に配置したことにより、切替弁や切替ハンドルの別途設置作業が必要なく、また切替ハンドルをカウンターの上などに別途設ける必要がなく周辺が煩雑となってしまうこともない。
【図面の簡単な説明】
【図１】本発明の第一実施形態を示す浄水器付湯水混合栓のブロック図である。
【図２】本発明の第二実施形態を示す浄水器付湯水混合栓のブロック図である。
【図３】本発明の第三実施形態を示す浄水器専用混合栓のブロック図である。
【図４】本発明の第四実施形態を示す浄水器専用混合栓のブロック図である。
【図５】本発明の切替弁４１部分を上方から観た内観図である。
【図６】本発明の切替弁４１を右方から観た内観図を示す。
【符号の説明】
１…浄水器付湯水混合栓
２…給水源
３…給湯源
４…水栓本体
５…吐水管
１０…湯水混合ハンドル、
１１…湯水混合弁、
１２…給水路
１３…給湯路
１４…混合水路
１５…給水分岐路
１６…給湯分岐路
２０…吐水ヘッド
２２…吐水ホース
３０…浄水器
３１、３２…浄水路
４０…切替ハンドル
４１…切替弁
４２…ネジ
４３…ナット
４４…弁棒
４５Ａ、４５Ｂ…弁パッキン
４６…弁
４７Ａ、４７Ｂ、４７Ｃ…開口
４８…弁ケース
５０…合流継手
９０…カウンター
１０１…浄水器専用混合栓
１０２…湯水混合栓
１０３…湯水混合栓本体
１０４…本体
【図１】
2004300860.tif 000003
【図２】
2004300860.tif 000004
【図３】
2004300860.tif 000005
【図４】
2004300860.tif 000006
【図５】
2004300860.tif 000007
【図６】
2004300860.tif 000008